(57)【要約】【課題】  有料放送を安い受信料で受信でき、また、聴取する番組を制限できる受信機モジュールユニットを提供する。【解決手段】  受信機モジュールユニット１は、複数のオーディオ装置２に着脱可能なように、有料放送を受信するフロントエンド部１０と、このフロントエンド部１０からの信号に含まれるＩＤコードを解読するＩＤコード解読ＬＳＩ１２と、このＩＤコード解読ＬＳＩ１２における解読によって自己に付与されているＩＤコードに受信許可がなされていることが判断された場合に、フロントエンド部１０からの信号をオーディオ装置２に出力する信号処理ＬＳＩ１１とが一体に形成されて構成されている。【選択図】        図２
2005064726.tif 000002
【特許請求の範囲】
【請求項１】
複数のオーディオ装置に着脱可能な受信機モジュールユニットであって、
前記受信機モジュールユニットは、
有料放送を受信する受信部と、
前記受信部からの信号に含まれるＩＤコードを解読するＩＤコード解読部と、
前記ＩＤコード解読部における解読によって自己に付与されているＩＤコードに受信許可がなされていることが判断された場合に、前記受信部からの信号を前記オーディオ装置に出力する信号処理部
とが一体に形成されていることを特徴とする受信機モジュールユニット。
【請求項２】
有料放送を受信する受信部を備えた複数のオーディオ装置に着脱可能な受信機モジュールユニットであって、
前記受信機モジュールユニットは、
前記受信部からの信号に含まれるＩＤコードを解読するＩＤコード解読部と、
前記ＩＤコード解読部における解読によって自己に付与されているＩＤコードに受信許可がなされていることが判断された場合に、前記受信部からの信号を前記オーディオ装置に出力する信号処理部
とが一体に形成されていることを特徴とする受信機モジュールユニット。
【請求項３】
ＩＤコード解読部は、受信部からの信号に含まれるＩＤコード及び番組コードを解読し、
信号処理部は、
前記ＩＤコード解読部における解読によって自己に付与されているＩＤコードに受信許可がなされていることが判断された場合に、前記受信部からの信号のうち自己に許可されている番組コードに対応する信号をオーディオ装置に出力する、ことを特徴とする請求項１または請求項２記載の受信機モジュールユニット。
【発明の詳細な説明】
【技術分野】
【０００１】
この発明は、有料放送の番組を受信する受信機モジュールユニットに関する。
【背景技術】
【０００２】
従来、有料のラジオ放送の１つとして、デジタル衛星放送のチャンネルを利用した「サテライトラジオ」と呼ばれる有料放送が知られている。この有料放送を受信するためは、ユーザは、固有のＩＤコードが付与された受信機を購入する。ＩＤコードは、受信機に実装されているＩＤコード解読ＬＳＩと信号処理ＬＳＩとから構成される信号処理部に対して与えられている。
【０００３】
受信機を購入したユーザは、その受信機に付与されているＩＤコードを放送会社に登録し、放送会杜から認証を受ける。この時、ユーザは、受信契約する番組を表す番組コードも登録する。一方、放送会社は、サテライトからの放送信号に、認証した受信機の受信許可コード（ＩＤコード及び番組コード）を含めて定期的に送信する。受信機の信号処理部は、放送信号に含まれる受信許可コードを解析し、自己に対して受信許可がなされているかどうかを調べる。そして、受信許可がなされていることを判断した場合に、許可されている番組を受信する。
【０００４】
また、ユーザは、放送会社から認証を受けた受信機及び契約した番組内容に対して毎月の受信料を支払う。従って、毎月の受信料は、契約した番組によって異なる。
【０００５】
なお、関連する技術として、有料でプレーをするゲームを途中で終了して保存でき、その保存したところからゲームのプレーを再開できるゲーム装置が知られている（例えば、特許文献１参照）。このゲーム装置は、着脱可能なメモリに対し、ゲーム情報、機器ＩＤ及び課金情報を読み書きする読み書き手段と、機器ＩＤが、ゲーム装置の機器ＩＤと一致するか否かを判断する機器ＩＤ判定手段と、課金情報により、プレーヤへの課金の要否を判断する課金情報判定手段と、機器ＩＤ判定手段及び課金情報判定手段の判断結果とゲーム情報とによりゲームのプレーを制御するゲーム制御手段と、ゲーム装置の機器ＩＤを発行する機器ＩＤ発行手段と、課金情報を発行する課金情報発行手段とを備えている。
【０００６】
【特許文献１】特開２００１−２７６４１２号公報
【発明の開示】
【発明が解決しようとする課題】
【０００７】
上述した従来の有料放送の受信機において、信号処理部を構成するＩＤコード解読ＬＳＩ及び信号処理ＬＳＩは、受信機内の電気基板に直接半田付けされており、取り外しは困難である。そのため、信号処理部に付与されるＩＤコードがそのまま受信機のＩＤコードとして使用されている。
【０００８】
ところで、ユーザと放送会社との受信契約は受信機毎に行われる。従って、例えば車載用受信機とホーム用受信機の両方で有料放送を受信するためには、車載用受信機のＩＤコードと、ホーム用受信機のＩＤコードの両方を登録して受信契約を結ぶ必要がある。この場合、ユーザは２台分の受信料を払わなければならず、受信料が高くなるという課題がある。
【０００９】
また、受信機毎に番組契約を行うため、例えば家族の全員が１台の受信機で有料放送を聴取するような場合、各人が希望する全ての番組の受信契約を結ぶ必要がある。従って、成人向け番組や特定ユーザ向け情報番組等といった特定の番組を特定の者に聴かせたくない場合に、聴取を制限することが難しいという課題がある。
【００１０】
この発明は、上述した課題を解消するためになされたものであり、第１の目的は、有料放送を安い受信料で受信でき、また、聴取する番組を制限できる受信機モジュールユニットを提供するものである。
【課題を解決するための手段】
【００１１】
この発明に係る受信機モジュールユニットは、複数のオーディオ装置に着脱可能なように、有料放送を受信する受信部と、この受信部からの信号に含まれるＩＤコードを解読するＩＤコード解読部と、このＩＤコード解読部における解読によって自己に付与されているＩＤコードに受信許可がなされていることが判断された場合に、受信部からの信号をオーディオ装置に出力する信号処理部とが一体に形成されて構成されているものである。
【００１２】
この発明に係る受信機モジュールユニットは、有料放送を受信する受信部を備えた複数のオーディオ装置に着脱可能なように、受信部からの信号に含まれるＩＤコードを解読するＩＤコード解読部と、このＩＤコード解読部における解読によって自己に付与されているＩＤコードに受信許可がなされていることが判断された場合に、受信部からの信号をオーディオ装置に出力する信号処理部とが一体に形成されて構成されているものである。
【発明の効果】
【００１３】
この発明は、有料放送を受信する受信部と、この受信部からの信号に含まれるＩＤコードを解読するＩＤコード解読部と、このＩＤコード解読部における解読によって自己に付与されているＩＤコードに受信許可がなされていることが判断された場合に、受信部からの信号をオーディオ装置に出力する信号処理部とを一体に形成し、複数のオーディオ装置に着脱可能なように構成したので、ユーザは、受信機モジュールユニットを複数のオーディオ装置の中の所望のものに装着することにより有料放送を受信することができる。従って、複数台の受信機を登録して受信契約する必要がないので、有料放送を安い受信料で受信できる効果がある。
【００１４】
この発明は、有料放送を受信するための受信部を複数のオーディオ装置側に備え、この受信部からの信号に含まれるＩＤコードを解読するＩＤコード解読部と、このＩＤコード解読部における解読によって自己に付与されているＩＤコードに受信許可がなされていることが判断された場合に、受信部からの信号をオーディオ装置に出力する信号処理部とを一体に形成し、複数のオーディオ装置に着脱可能なように構成したので、上記発明と同様の作用及び効果を奏することに加え、受信機モジュールユニットを小型化できるので、取り扱いが容易になる効果がある。
【発明を実施するための最良の形態】
【００１５】
以下、この発明の実施の形態を図面を参照しながら詳細に説明する。なお、以下で説明する受信機モジュールユニットは、従来の技術の欄で説明したデジタル衛星放送を受信するために使用されるものであり、その受信機モジュールユニットに付与されているＩＤコード及び契約されている番組コードは予め放送会社に登録されているものとする。
実施の形態１．
図１は、この発明の実施の形態１に係る受信機モジュールユニット１が適用された車載オーディオシステムの外観斜視図である。この車載オーディオシステムは、受信機モジュールユニット１、オーディオ装置２及びスピーカ３から構成されている。オーディオ装置２は、後述するように、ＦＭラジオ機能、ＡＭラジオ機能及びＣＤデッキ機能を含む。スピーカ３はオーディオ装置２に接続されており、車内の所定位置に配置される。なお、図１では、図面の煩雑さを避けるために、スピーカ３は１個だけ描かれているが、使用されるスピーカ３の数は任意である。
【００１６】
受信機モジュールユニット１は、例えばサテライトからの有料放送を受信することにより得られた信号をオーディオ装置２に送る。オーディオ装置２は、受信機モジュールユニット１からの信号、並びに、ＦＭラジオ機能、ＡＭラジオ機能及びＣＤデッキ機能によって生成された信号に基づいてオーディオ信号を生成する。このオーディオ装置２で生成されたオーディオ信号はスピーカ３に送られる。これにより、スピーカ３から音が発生される。
【００１７】
この受信機モジュールユニット１は、オーディオ装置２のフロントパネル部２ａに設けられた挿入口２ｂに着脱可能になっている。図１（Ａ）は、受信機モジュールユニット１をオーディオ装置２に装着した状態を示し、図１（Ｂ）は、オーディオ装置２から取り外した状態を示している。
【００１８】
図２は、この発明の実施の形態１に係る受信機モジュールユニット１が適用された車載オーディオシステムの電気的な構成を示すブロック図である。この車載オーディオシステムは、上述したように、受信機モジュールユニット１、オーディオ装置２及びスピーカ３から構成されている。
【００１９】
受信機モジュールユニット１は、フロントエンド（Ｆ／Ｅ）部１０、信号処理ＬＳＩ１１、ＩＤコード解読ＬＳＩ１２、Ｄ／Ａ変換器１３及びマイクロコンピュータ（以下、「マイコン」と略する）１４から構成されている。この発明の受信部は、フロントエンド部１０によって構成されている。また、この発明の信号処理部及びＩＤコード解読部は、信号処理ＬＳＩ１１及びＩＤコード解読ＬＳＩ１２によってそれぞれ構成されている。
【００２０】
フロントエンド部１０は、アンテナで受信されたサテライトからのデジタル変調された電波の中から希望局だけを選び出して復調する。このフロントエンド部１０で復調された信号は信号処理ＬＳＩ１１に送られる。
【００２１】
信号処理ＬＳＩ１１は、マイコン１４からの指示に応じて動作し、ＩＤコード解読ＬＳＩ１２からの信号に基づいて、フロントエンド部１０からの信号を処理する。この信号処理ＬＳＩ１１で処理することにより得られたデジタル信号はＤ／Ａ変換器１３に送られる。
【００２２】
ＩＤコード解読ＬＳＩ１２は、フロントエンド部１０から信号処理ＬＳＩ１１を介して送られくるＩＤコード及び番組コードを解読する。そして、この解読結果に基づいて、当該受信機モジュールユニット１に付与されているＩＤコードに受信許可がなされているか否かを表す信号、及び受信許可がなされている番組を表す信号を生成し、信号処理ＬＳＩ１１に送る。信号処理ＬＳＩ１１は、このＩＤコード解読ＬＳＩ１２からの信号に基づいて、フロントエンド部１０から送られてくる信号の受信の可否を判断し、受信許可がなされている場合にのみその信号をＤ／Ａ変換器１３に送る。
【００２３】
Ｄ／Ａ変換器１３は、信号処理ＬＳＩ１１から送られてくるデジタル信号をアナログ信号に変換する。受信機モジュールユニット１がオーディオ装置２に装着されている場合は、このＤ／Ａ変換器１３から出力されるアナログ信号は、オーディオ装置２に送られる。
【００２４】
マイコン１４は、この受信機モジュールユニット１の全体を制御する。例えば、オーディオ装置２から送られてくる選局信号に応じて、受信機モジュールユニット１で受信すべき信号を信号処理ＬＳＩ１１に指示する。また、信号処理ＬＳＩ１１から送られてくる受信状態を示す信号をオーディオ装置２に送る。
【００２５】
オーディオ装置２は、マイコン２１、ＦＭラジオ部２２、ＡＭラジオ部２３、ＣＤデッキ部２４、操作部２５、表示部２６及びオーディオ部２７から構成されている。
【００２６】
マイコン２１は、以下に説明するように、オーディオ装置２の全体を制御する。このマイコン２１は、受信機モジュールユニット１がオーディオ装置２に装着されている場合は、受信機モジュールユニット１内のマイコン１４と通信を行うことにより、受信機モジュールユニット１を制御する。例えば、操作部２５の操作に応じて選局信号を生成し、マイコン１４に送る。
【００２７】
ＦＭラジオ部２２は、アンテナで受信されたＦＭ変調された電波の中から、マイコン２１からの選局信号により指定された電波を選択して復調する。このＦＭラジオ部２２で復調された信号はオーディオ部２７に送られる。
【００２８】
ＡＭラジオ部２３は、アンテナで受信されたＡＭ変調された電波の中から、マイコン２１からの選局信号により指定された電波を選択して復調する。このＡＭラジオ部２３で復調された信号はオーディオ部２７に送られる。
【００２９】
ＣＤデッキ部２４は、装着されているＣＤ（図示は省略する）に記憶されている曲の中から、マイコン２１からの選択信号によって指定された曲のデータを選択して再生する。このＣＤデッキ部２４で再生された信号はオーディオ部２７に送られる。
【００３０】
操作部２５は、オーディオ装置２のフロントパネル部２ａに設けられており、デジタル衛星放送選局スイッチ、ＦＭ放送選局スイッチ、ＡＭ放送選局スイッチ、ＣＤデッキ操作スイッチ、音量スイッチといった種々のスイッチから構成されている。この操作部２５のスイッチが押下されたことを表す信号は、マイコン２１に送られる。マイコン２１は、この操作部２５からの信号に応じて、デジタル衛星放送の選局、ＦＭ放送の選局、ＡＭ放送の選局、ＣＤの再生／停止、音量の変更等の制御を行う。
【００３１】
表示部２６は、例えばＬＣＤから構成されている。この表示部２６は、マイコン２１から送られてくる信号に応じて、デジタル衛星放送、ＦＭ放送又はＡＭ放送の選局状態、ＣＤの再生状態等を表示する。
【００３２】
オーディオ部２７は、受信機モジュールユニット１、ＦＭラジオ部２２、ＡＭラジオ部２３又はＣＤデッキ部２４から送られてくる信号を増幅し、スピーカ３に送る。これにより、スピーカ３から音が発生される。
【００３３】
次に、この発明の実施の形態１に係る受信機モジュールユニット１が他のシステムに適用された例を説明する。図３は、この発明の実施の形態１に係る受信機モジュールユニット１が適用されたホーム用オーディオシステムの外観斜視図である。このホーム用オーディオシステムは、受信機モジュールユニット１、オーディオ装置２’、スピーカ３、チューナ装置４及びＣＤデッキ装置５から構成されている。
【００３４】
このホーム用オーディオシステムは、図１に示した車載オーディオシステムにおけるオーディオ装置２が、オーディオ装置２’、チューナ装置４及びＣＤデッキ装置５といった３つのコンポーネントに分割されて構成されている。なお、以下においては、図１及び図２に示した構成要素と同一部分には図１及び図２の構成要素と同一の符号を付して説明を省略する。
【００３５】
受信機モジュールユニット１は、例えばサテライトからの有料放送を受信することにより得られた信号をオーディオ装置２’に送る。オーディオ装置２’は、受信機モジュールユニット１、チューナ装置４及びＣＤデッキ装置５から送られてくる信号に基づいてオーディオ信号を生成する。このオーディオ装置２’で生成されたオーディオ信号はスピーカ３に送られる。受信機モジュールユニット１は、オーディオ装置２’のフロントパネル部２ａ’に設けられた挿入口２ｂ’に着脱可能になっている。
【００３６】
図４は、この発明の実施の形態１に係る受信機モジュールユニット１が適用されたホーム用オーディオシステムの電気的な構成を示すブロック図である。このホーム用オーディオシステムは、上述したように、受信機モジュールユニット１、オーディオ装置２’、スピーカ３、チューナ装置４及びＣＤデッキ装置５から構成されている。
【００３７】
受信機モジュールユニット１は、図２を参照して既に説明したものと同じである。オーディオ装置２’は、マイコン２１ａ、操作部２５ａ、表示部２６ａ及びオーディオ部２７から構成されている。チューナ装置４は、マイコン２１ｂ、ＦＭラジオ部２２、ＡＭラジオ部２３、操作部２５ｂ及び表示部２６ｂから構成されている。ＣＤデッキ装置５は、マイコン２１ｃ、ＣＤデッキ部２４、操作部２５ｃ及び表示部２６ｃから構成されている。
【００３８】
上述した車載オーディオシステムのマイコン２１がマイコン２１ａ、２１ｂ及び２１ｃに分割され、車載オーディオシステムの操作部２５が操作部２５ａ、２５ｂ及び２５ｃに分割され、車載オーディオシステムの表示部２６が表示部２６ａ、２６ｂ及び２６ｃに分割されて構成されている点を除けば、オーディオ装置２’、チューナ装置４及びＣＤデッキ装置５の構成及び動作は、上述した車載オーディオシステムのオーディオ装置２と同じであるので説明を省略する。
【００３９】
以上説明したように、この発明の実施の形態１に係る受信機モジュールユニット１によれば、フロントエンド部１０、ＩＤコード解読ＬＳＩ１２及び信号処理ＬＳＩ１１を一体に形成し、複数のオーディオ装置２に着脱可能なように構成したので、ユーザは、受信機モジュールユニット１の１台分についてのみ放送会社と契約するだけで有料放送を受信することができる。従って、１台分の受信料金で、車載オーディオシステムやホーム用オーディオシステム等といった様々な環境での受信が可能になる。
【００４０】
また、同一のオーディオシステムで複数の使用者が有料放送を受信するような場合でも、各ユーザが固有に契約した受信機モジュールユニット１を装着することで、成人向け番組や特定ユーザ向け情報番組等といった特定の番組を特定の者に聴かせたくない場合に、聴取を制限することができ、契約のプレミアム性を保つことができる。
【００４１】
実施の形態２．
上述した実施の形態１に係る受信機モジュールユニット１では、フロントエンド部１０、信号処理ＬＳＩ１１、ＩＤコード解読ＬＳＩ１２、Ｄ／Ａ変換器１３及びマイコン１４を一体化することによりモジュール化したが、この実施の形態２に係る受信機モジュールユニット１００は、図５に示すように、ＩＤコードが管理される信号処理ＬＳＩ１１及びＩＤコード解読ＬＳＩ１２のみを一体化することによりモジュール化したものである。
【００４２】
図６は、この発明の実施の形態２に係る受信機モジュールユニット１００が適用された車載オーディオシステムの外観斜視図である。この車載オーディオシステムは、この発明の実施の形態２に係る受信機モジュールユニット１００、オーディオ装置２００及びスピーカ３から構成されている。
【００４３】
オーディオ装置２００は、上述した実施の形態１と同様に、ＦＭラジオ機能、ＡＭラジオ機能及びＣＤデッキ機能を含む。スピーカ３はオーディオ装置２００に接続されており、車内の所定位置に配置される。受信機モジュールユニット１００は、オーディオ装置２００のフロントパネル部２００ａに設けられた挿入口２００ｂに着脱可能になっている。
【００４４】
図７は、この発明の実施の形態２に係る受信機モジュールユニットが適用された車載オーディオシステムの電気的な構成を示すブロック図である。この車載オーディオシステムは、上述したように、受信機モジュールユニット１００、オーディオ装置２００及びスピーカ３から構成されている。
【００４５】
受信機モジュールユニット１００は、信号処理ＬＳＩ１１及びＩＤコード解読ＬＳＩ１２から構成されている。オーディオ装置２００は、フロントエンド部１０、Ｄ／Ａ変換器１３、マイコン２１、ＦＭラジオ部２２、ＡＭラジオ部２３、ＣＤデッキ部２４、操作部２５、表示部２６及びオーディオ部２７から構成されている。
【００４６】
この車載オーディオシステムは、実施の形態１に係る車載オーディオシステムの受信機モジュールユニット１に含まれていたフロントエンド部１０及びＤ／Ａ変換器１３がオーディオ装置２００に移されると共に、受信機モジュールユニット１に含まれていたマイコン１４が削除され、オーディオ装置２００内のマイコン２１が直接に信号処理ＬＳＩ１１を制御するように構成されている。
【００４７】
従って、受信機モジュールユニット１００及びオーディオ装置２００を構成する各要素は、実施の形態１に係る受信機モジュールユニット１及びオーディオ装置２の構成要素と同じであるので説明を省略する。
【００４８】
以上説明したように、この発明の実施の形態２に係る受信機モジュールユニット１００によれば、ＩＤコード解読ＬＳＩ１２及び信号処理ＬＳＩ１１を一体に形成し、複数のオーディオ装置２００に着脱可能なように構成したので、上述した実施の形態１に係る受信機モジュールユニットと同様の作用及び効果を奏する。加えて、受信機モジュールユニット１００は、ＩＤコード解読ＬＳＩ１２及び信号処理ＬＳＩ１１のみを一体化することによりモジュール化したので、受信機モジュールユニット１００を小型化でき、取り扱いが容易になる。
【図面の簡単な説明】
【００４９】
【図１】この発明の実施の形態１に係る受信機モジュールユニットが適用された車載オーディオシステムの外観斜視図である。
【図２】この発明の実施の形態１に係る受信機モジュールユニットが適用された車載オーディオシステムの電気的な構成を示すブロック図である。
【図３】この発明の実施の形態１に係る受信機モジュールユニットが適用されたホーム用オーディオシステムの外観斜視図である。
【図４】この発明の実施の形態１に係る受信機モジュールユニットが適用されたホーム用オーディオシステムの電気的な構成を示すブロック図である。
【図５】この発明の実施の形態２に係る受信機モジュールユニットと実施の形態１に係るそれとの相違を説明するための図である。
【図６】この発明の実施の形態２に係る受信機モジュールユニットが適用された車載オーディオシステムの外観斜視図である。
【図７】この発明の実施の形態２に係る受信機モジュールユニットが適用された車載オーディオシステムの電気的な構成を示すブロック図である。
【符号の説明】
【００５０】
１，１００  受信機モジュールユニット、２，２’，２００  オーディオ装置、２ａ，２ａ’，２００ａ  フロントパネル部、２ｂ，２ｂ’，２００ｂ  挿入口、３  スピーカ、４  チューナ装置、５  ＣＤデッキ装置、１０  フロントエンド部（受信部）、１１  信号処理ＬＳＩ（信号処理部）、１２  ＩＤコード解読ＬＳＩ（ＩＤコード解読部）、１３  Ｄ／Ａ変換器、１４，２１，２１ａ，２１ｂ，２１ｃ  マイコン、２２  ＦＭラジオ部、２３  ＡＭラジオ部、２４  ＣＤデッキ部、２５，２５ａ，２５ｂ，２５ｃ  操作部、２６，２６ａ，２６ｂ，２６ｃ  表示部、２７  オーディオ部。
【図１】
2005064726.tif 000003
【図２】
2005064726.tif 000004
【図３】
2005064726.tif 000005
【図４】
2005064726.tif 000006
【図５】
2005064726.tif 000007
【図６】
2005064726.tif 000008
【図７】
2005064726.tif 000009